(57)【要約】【課題】光ケーブルの配線方向を考慮する必要がなく、コネクタ盤の規格統一が可能で、小型化を可能としたコネクタ一体型光成端ユニット及び接続ユニットを提供すること。【解決手段】光ファイバ及び電力線のうち少なくとも光ファイバを有する第１の光ケーブルが接続されるコネクタ端子５を有し、外枠パネル２に取り付けられるコネクタ端子ユニット３と、光ファイバ及び電力線のうち少なくとも光ファイバを有する第２の光ケーブル６の一端が引き留められ、第１及び第２の光ケーブルの対応する光ファイバが接続される接続ユニット４とが一体に組み付けられているコネクタ一体型光成端ユニットと接続ユニット。【選択図】        図４
2004170926.tif 000002
【特許請求の範囲】
【請求項１】
光ファイバ及び電力線のうち少なくとも光ファイバを有する第１の光ケーブルが接続されるコネクタ端子を有し、外枠パネルに取り付けられるコネクタ端子ユニットと、
光ファイバ及び電力線のうち少なくとも光ファイバを有する第２の光ケーブルの一端が引き留められ、前記第１及び第２の光ケーブルの対応する光ファイバが接続される接続ユニットと、
が一体に組み付けられていることを特徴とするコネクタ一体型光成端ユニット。
【請求項２】
前記コネクタ端子ユニットは、前記外枠パネルの内方へ向かって下方へ傾斜する第１の面と、前記外枠パネルの内方へ向かって上方へ傾斜する第２の面とを有し、前記第１の面に前記コネクタ端子が取り付けられ、前記第２の面に前記接続ユニットが取り付けられていることを特徴とする請求項１に記載のコネクタ一体型光成端ユニット。
【請求項３】
前記接続ユニットは、板材の一方の面に前記光ファイバの余長を収納する余長収納部が設けられ、中央に前記第２の光ケーブルの光ファイバを挿通する挿通口が形成されると共に、前記挿通孔の周囲には前記光ケーブルを固定する複数の固定部が周方向に沿って設けられ、前記複数の固定部を適宜選択することによって前記第２の光ケーブルの導入方向を変更可能としたことを特徴とする請求項１に記載のコネクタ一体型光成端ユニット。
【請求項４】
前記固定部が、ねじ孔であることを特徴とする請求項３に記載のコネクタ一体型光成端ユニット。
【請求項５】
前記接続ユニットは、光コネクタが取り付けられ、当該光コネクタと前記コネクタ端子との間が中継ファイバで接続されていることを特徴とする請求項１〜４のいずれか一つに記載のコネクタ一体型光成端ユニット。
【請求項６】
前記接続ユニットは、前記第１及び第２の光ケーブルが電力線を有するときには、前記接続ユニットと前記コネクタ端子との間が、高電圧ノイズの遮断手段を設けた中継線で接続されることを特徴とする請求項１〜４のいずれか一つに記載のコネクタ一体型光成端ユニット。
【請求項７】
板材の一方の面に前記光ファイバの余長を収納する余長収納部が設けられ、中央に前記第２の光ケーブルの光ファイバを挿通する挿通口が形成されると共に、前記挿通孔の周囲には前記光ケーブルを固定する複数の固定部が周方向に沿って設けられ、前記複数の固定部を適宜選択することによって前記第２の光ケーブルの導入方向を変更可能としたことを特徴とする接続ユニット。
【発明の詳細な説明】
【技術分野】
【０００１】
本発明は、テレビ中継用光システム或いは放送スタジオのテレビカメラ用光システム等で用いられるコネクタ一体型光成端ユニット及び接続ユニットに関するものである。
【背景技術】
【０００２】
従来のテレビ中継用の光システム、例えば、野球場，サッカー場，陸上競技場等で使用される図９に示すテレビ中継用の光システム２５は、予め駐車場２６にコネクタ盤２８を、観客席３０に複数のコネクタ盤３２を、それぞれ設置し、コネクタ盤２８とコネクタ盤３２とを盤外の光ファイバケーブル或いは光・電力複合ケーブル（本明細書ではこれらのケーブルを総称して「光ケーブル」という）６２で接続している。
【０００３】
そして、光システム２５は、駐車場２６に駐車した中継車２７とコネクタ盤２８に設けたコネクタ端子２９並びに観客席３０側のテレビカメラ３３と競技場内に設けたコネクタ盤３２のコネクタ端子２９を、それぞれ光ケーブル６３で接続することによって、テレビ中継を行っている。
【０００４】
一方、放送スタジオのテレビカメラ用光システム、例えば、図１０に示す光システム４１は、予め副調整室４２にコネクタ盤４３を設置すると共に、スタジオ４７内に複数のコネクタ盤４８を設置し、コネクタ盤４３とコネクタ盤４８とを光ケーブル６２で接続している。光システム４１は、各ベースステーション４４とコネクタ盤４３のコネクタ端子２９並びにスタジオのテレビカメラ３３とコネクタ盤４８のコネクタ端子２９を、それぞれ光ケーブル６３で接続して、テレビ中継を行うように構成されている。
【０００５】
上記各システムにおけるコネクタ盤２８，３２，４３，４８は、いずれもコネクタ端子２９と接続ユニット４９とを有し、接続ユニット４９はコネクタ盤とは別体に製作されてコネクタ盤の函体内に組み込まれ、接続ユニット４９とコネクタ端子２９とは函体内で光ケーブルから分岐させた個々の光ファイバ６１によって接続する方式を採用していた。
【０００６】
ここで、コネクタ盤、例えば、コネクタ盤２８は、一般に、図１１に示すように、コネクタ盤２８の函体２８ａ内に光ケーブル６２が導入され、光ケーブル６２から分離した個々の光ファイバを接続ユニット４９において対応する光ファイバ６１と融着接続しており、パネル３９が扉として開閉自在に構成されている。そして、パネル３９を開けると、コネクタ端子２９と共に接続ユニット４９も多数の光ファイバ６１と共に引き出される。このため、コネクタ盤２８においては、予めパネル３９の開閉を考慮した長さに複数の光ファイバ６１の長さが設定されている。ここで、コネクタ盤２８は、光ファイバ６１及びコネクタ端子２９が多数設けられているが、図１１においては、コネクタ盤２８の概略構成を示すため２つだけ示している。
【０００７】
そして、接続ユニット４９は、通常、光成端箱と呼ばれるユニットが使用され（例えば、特許文献１参照。）、図１２に示すように、ユニット内に光ケーブル６２を導入し、テンションメンバー６２ａを固定部４９ａに固定する。これと共に、光ケーブル６２から分離した光ファイバ６２ｂを融着トレイ４９ｂに設けられた複数のピン４９ｃを利用して数ターン巻回して余長処理した後、中継ファイバ５０の一端と融着接続する。このとき、中継ファイバ５０は、他端にコネクタ５０ａが取り付けられ、光ファイバ６２ｂとの接続部はスリーブ５１で保護されている。接続ユニット４９は、融着トレイ４９ｂが複数積層されて最上部に蓋が被され、コネクタ５０ａと光ファイバ６１の端部に設けたコネクタ６１ａとを接続するアダプタ５２が多数配列されると共に、光ケーブル６２が有する電線を光ケーブル６３が有する電線と接続するためのメタル用コネクタ５３が設けられている。
【０００８】
【特許文献１】特開２０００−２４９８４５号公報
【発明の開示】
【発明が解決しようとする課題】
【０００９】
ところで、テレビ中継用やテレビカメラ用の光システムでは、その仕様が決まらないと接続ユニット４９の規模（大きさ等）が決まらず、接続ユニット４９の規模が決まらないと、接続ユニット４９を収納するコネクタ盤２８の函体の大きさ等が決まらない。従って、コネクタ盤は、テレビ中継用やテレビカメラ用の光システムの仕様に合わせてその都度設計しなければならず、コネクタ盤の規格統一の支障となっていた。
【００１０】
また、コネクタ盤においては、内部に収納する接続ユニット４９の設置方向は、光ケーブル６２の設置条件によって左右される。例えば、光ケーブル６２は、地中配線の場合には下から立ち上げられ、架空配線、或いは建屋の天井からの配線では上から垂下され、或いは建屋の壁を通して横からと、その配線設計によってコネクタ盤、従って接続ユニット４９への入線角度が相違する。しかも、図１２に示す接続ユニット４９の融着トレイ４９ｂにおいては、光ファイバを出し入れする出入口が、設計上点線Ａで示す四隅の４箇所に限られている。
【００１１】
このため、コネクタ盤や接続ユニット４９においては、光ケーブル６２がどのような角度から入線されても対応できるように、光システム全体の設計が完了してから設計していた。また、コネクタ盤は、光ケーブルの入線方向を無視し、汎用性のみを考えた設計とする場合には、光ケーブルの曲率半径を考慮する必要から、光ケーブルの固定スペースを大きく設計しなければならず、接続ユニット４９の収納スペースが大きくなり、コネクタ盤全体が大型化してしまうという問題があった。
【００１２】
更に、コネクタ盤においては、例えば光システムの点検時にコネクタ端子２９を固定したパネル３９を開けると、コネクタ端子２９と共に光ファイバ６１も引き出される。このため、光ファイバ６１が断線する危険性があり、点検作業には細心の注意と熟練を要していた。しかも、コネクタ端子２９と接続ユニット４９とを接続する光ファイバ６１は、その接続作業や点検作業時に備えて必要な長さを確保する必要があり、その収納スペースが要求されるためにコネクタ盤全体が大型化し、コスト高になる欠点もあった。
【００１３】
本発明は、上記に鑑みてなされたものであって、光ケーブルの配線方向を考慮する必要がなく、コネクタ盤の規格統一が可能で、小型化を可能としたコネクタ一体型光成端ユニット及び接続ユニットを提供することを目的とする。
【課題を解決するための手段】
【００１４】
上述した課題を解決し、目的を達成するために、本発明のコネクタ一体型光成端ユニットは、光ファイバ及び電力線のうち少なくとも光ファイバを有する第１の光ケーブルが接続されるコネクタ端子を有し、外枠パネルに取り付けられるコネクタ端子ユニットと、光ファイバ及び電力線のうち少なくとも光ファイバを有する第２の光ケーブルの一端が引き留められ、前記第１及び第２の光ケーブルの対応する光ファイバが接続される接続ユニットと、が一体に組み付けられていることを特徴とする。
【００１５】
また、上述した課題を解決し、目的を達成するために、本発明の接続ユニットは、板材の一方の面に前記光ファイバの余長を収納する余長収納部が設けられ、中央に前記第２の光ケーブルの光ファイバを挿通する挿通口が形成されると共に、前記挿通孔の周囲には前記光ケーブルを固定する複数の固定部が周方向に沿って設けられ、前記複数の固定部を適宜選択することによって前記第２の光ケーブルの導入方向を変更可能としたことを特徴とする。
【発明の効果】
【００１６】
本発明にかかるコネクタ一体型光成端ユニット及び接続ユニットは、光ケーブルの配線方向を考慮する必要がなく、コネクタ盤の規格統一と小型化ができるという効果を奏する。
【発明を実施するための最良の形態】
【００１７】
以下、本発明のコネクタ一体型光成端ユニット及び接続ユニットに係る一実施形態を図面に基づいて詳細に説明する。
【実施例１】
【００１８】
図１−１は、コネクタ盤の外枠パネルに取り付けられる枠体を示す正面図であり、図１−２は枠体１の側面図である。図２−１は、コネクタ一体型光成端ユニットで用いるコネクタ端子ユニット３を示し、コネクタ端子を取りつけたコネクタ端子ユニットの正面図であり、図２−２は図２−１に示すコネクタ端子ユニットの側面図である。図３−１は、接続ユニットの正面図であり、図３−２は図３−１に示す接続ユニットの側面図である。
【００１９】
コネクタ一体型光成端ユニットは、図２−１，２−２に示すコネクタ端子ユニット３と、図３−１，３−２に示す接続ユニット４とを有している。
【００２０】
コネクタ端子ユニット３は、図２−１，２−２に示すように、枠体１を介してコネクタ盤、例えば中継車コネクタ盤等の外枠パネル２に取り付け固定される。コネクタ端子ユニット３は、四角形状の金属板を上下方向中央で直角に折り曲げたもので、枠体１に設けたねじ孔２２に相当する位置にねじ孔１４が設けられている。また、コネクタ端子ユニット３は、外枠パネル２の内方へ向かって下方へ傾斜する第１面３ａにコネクタ端子５が複数個（図では２個）取り付けられ、外枠パネル２の内方へ向かって上方へ傾斜する第２面３ｂの裏面には接続ユニット４を取り付ける取付部１０が設けられている。ここで、枠体１は、ほぼ四角形で、コネクタ盤の外枠パネル２に螺着するねじ孔２１と、コネクタ端子ユニット３を接続するねじ孔２２が複数個所に設けられている。また、コネクタ端子５は、電気接続と光接続の２つの機能を１つのコネクタで独立して一括して行うことのできる電気・光複合一括コネクタであり、中継車やテレビカメラ等との間を繋ぐ第１の光ケーブルが接続される。
【００２１】
接続ユニット４は、第２の光ケーブルである光ケーブル６を引き留め、第１及び第２の光ケーブルの対応する光ファイバを接続するもので、図３−１，３−２に示すように、光ケーブル６から引き出された光ファイバ７を挿通する挿通口１６が中央に形成され、裏面には光ファイバ７の余長を収納する余長収納部１７が設けられている。また、接続ユニット４は、挿通口１６の周囲に、後述する光ケーブル６用の固定治具を固定する複数のねじ孔１８と、光ケーブル６のテンションメンバー用の固定治具を固定するねじ孔１９とがそれぞれ複数設けられている。接続ユニット４は、これらのねじ孔１８，１９を光ケーブル６の固定部として適宜選択することにより、光ケーブル６を何れの方向からであっても接続ユニット４に引き込んで固定することができる。
【００２２】
即ち、接続ユニット４は、例えば、図３−１に示すように、挿通口１６を挟んだ複数のねじ孔１８，１９から光ケーブル６の配線方向に対応したねじ孔１８，１９を選択する。そして、接続ユニット４は、選択したねじ孔１８，１９を利用して固定治具２３と固定治具２４とを接続ユニット４の表面にねじ止めすることで、固定治具２３によって光ケーブル６を引き留め固定すると共に、固定治具２４によって光ケーブル６のテンションメンバー８を引き留め固定する。そして、接続ユニット４においては、引き留めた光ケーブル６の光ファイバ７を、中央に形成した挿通口１６を通せば、表面側から余長収納部１７のある裏面側へと引き出すことができる。
【００２３】
このとき、挿通口１６から余長収納部１７側へ引き出された光ファイバ７は、余長収納部１７に形成された複数のピンを利用して数ターン巻かれ、その先端には後述する接続端子（例えば、フェルール）９が取り付けられる（図４参照）。また、ねじ孔１８，１９は、挿通口１６の周囲に光ケーブル６を固定する固定治具２３に設けたねじ孔と同一間隔で複数設けられ、或いは固定治具２４に設けたねじ孔の間隔と固定治具２３に設けたねじ孔の間隔との双方を考慮した間隔に設けられている。ここで、接続ユニット４は、ねじ孔１８，１９と挿通口１６とを設けた部分を別体で構成し、この部分を接続ユニット４に対して回動自在に取り付けてもよい。
【００２４】
以上のように構成される接続ユニット４は、コネクタ端子ユニット３の取付部１０に１個または複数個取り付けられ、光ファイバ７の端末に設けた接続端子９をコネクタ端子ユニット３に固定されたコネクタ端子５と直接、或いは、図４に示すように、接続コネクタ３１を介してコネクタ端子５と接続する。このとき、接続コネクタ３１のコネクタ端子５側に位置する接続端子９とコネクタ端子５との間は、中継ファイバ１１によって接続する。
【００２５】
図４は、枠体１にコネクタ端子ユニット３と接続ユニット４とを一体に組み付け、接続ユニット４に直線状態で固定した光ケーブル６の光ファイバ７とコネクタ端子５とを接続コネクタ３１を介して接続したコネクタ一体型光成端ユニットを示す。このように、コネクタ一体型光成端ユニットは、枠体１を介してコネクタ盤の外枠パネル２に取り付けることでコネクタ盤函体内にコンパクトに収納され、コネクタ端子５に第１の光ケーブルを接続することにより、第１の光ケーブルの光ファイバが第２の光ケーブルである光ケーブル６の対応する光ファイバ７と接続される。この場合、上述の背景技術において説明したコネクタ盤２８に則して説明すると、外枠パネル２がパネル３９に対応し、光ケーブル６が光ケーブル６２に、コネクタ端子５に接続する第１の光ケーブルが光ケーブル６３に、それぞれ対応している。
【００２６】
なお、上記実施例のコネクタ一体型光成端ユニットは、枠体１を介して外枠パネル２に取り付けたが、コネクタ端子ユニット３を直接外枠パネル２に取り付けることも可能である。また、上記実施形態のコネクタ一体型光成端ユニットは、接続する第１の光ケーブルと第２の光ケーブルの数に応じた数をコネクタ盤の外枠パネル２に取り付けて使用される。但し、テレビ中継用やテレビカメラ用の光システムの仕様が決まらないとき等には、予想される光システムの規模に応じた以上のコネクタ一体型光成端ユニットを設けておけば、その後の光ケーブルの追加に対して容易に対応することができる。
【００２７】
ここで、図５は、右下４５度の方向から入線する光ケーブル６を固定した接続ユニット４を示す。接続ユニット４は、挿通口１６を挟んだ複数のねじ孔１８，１９の中から斜めの方向から入線してくる光ケーブル６に対応したねじ孔１８１，１８２を利用して光ケーブル６を引き留める固定治具２３を、ねじ孔１９１，１９２を利用してテンションメンバー８を引き留める固定治具２４を、それぞれねじ止めしている。
【００２８】
また、図６は、左横方向から入線してくる光ケーブル６を固定した接続ユニット４を示す。接続ユニット４は、複数のねじ孔１８，１９の中から左横方向から入線してくる光ケーブル６に対応したねじ孔１８３，１８４を利用して光ケーブル６を引き留める固定治具２３を、ねじ孔１９３，１９４を利用してテンションメンバー８を引き留める固定治具２４を、それぞれねじ止めしている。
【００２９】
更に、図７は、右横方向から入線してくる光ケーブル６を固定した接続ユニット４を示す。このとき、接続ユニット４は、複数のねじ孔１８，１９が同心円上に二重に設けられ、内側を固定治具２３用のねじ孔１８として利用し、外側を固定治具２４用のねじ孔１９として利用する。そして、接続ユニット４は、複数のねじ孔１８，１９の中から右横方向から入線してくる光ケーブル６に対応したねじ孔１８５，１８６を利用して光ケーブル６を引き留める固定治具２３を、ねじ孔１９５，１９６を利用してテンションメンバー８を引き留める固定治具２４を、それぞれねじ止めしている。
【００３０】
このように、本発明のコネクタ一体型成端ユニットは、コネクタ端子ユニット３と接続ユニット４とを一体に組み付けて構成されているので、コネクタ端子ユニット３と接続ユニット４、従ってコネクタ盤の規格統一が可能で、コネクタ盤を全体として小型にすることができる。
【００３１】
しかも、本発明のコネクタ一体型成端ユニットは、光ケーブル６の光ファイバ７とコネクタ端子５とを一体に組み付けたユニット内で接続でき、点検のために外枠パネル２を外し、コネクタ盤を開けた時もコネクタ端子ユニット３と接続ユニット４とが一体化されたユニットとして取り出せる。このため、コネクタ一体型成端ユニットは、コネクタ端子５と接続ユニット４との間を接続する光ファイバを常に一定の長さに保持することができるうえ、接続ユニット４からは光ファイバではなく曲げや引張り等に対する抗力を有する光ケーブルが延出しているので、コネクタ盤から取外す際に光ファイバが切断する危険性がなく、点検作業を容易に行うことが可能となる。
【００３２】
一方、接続ユニット４は、中央部に挿通口１６を形成すると共に、裏面に余長収納部１７を、挿通口１６周辺には表面に固定治具２３，２４を固定する複数のねじ孔１８，１９を、それぞれ設け、光ケーブル６を何れの方向からでも引き留め、中央に形成した挿通口１６から引き出せるように構成した。このため、光ファイバの出入口が４箇所に限定され、光ケーブルの配線方向を配慮しなければならなかった従来の接続ユニットと異なり、接続ユニット４は、大幅に小型化され、しかも汎用品として設計でき、コネクタ盤の規格統一を可能とする。また、接続ユニット４は、光ケーブル６の配線方向に係わらず光ケーブル６を直線状に装着できるため、施工工事が非常に行い易い。
【実施例２】
【００３３】
次に、本発明のコネクタ一体型光成端ユニットに係る第２の実施例について説明する。実施例１に係るコネクタ一体型光成端ユニットにおいては光ケーブルとして前提としている。このため、実施例２は、高電圧ノイズに対する保護機能を備えたコネクタ一体型光成端ユニットに関するものである。図８は、本発明のコネクタ一体型光成端ユニットの実施例２を示すもので、コネクタ一体型光成端ユニットの配線図である。図８においては、実施例１と同一の構成要素に同一の符号を付している。
【００３４】
外枠パネル２に取り付けられる本発明のコネクタ一体型光成端ユニットは、図８に示すように、第１の光ケーブル、例えば、光ケーブル６３と、第２の光ケーブルである光ケーブル６とを接続している。このとき、光ケーブル６は、２本の光ファイバ７の他に、電源線６ａと信号線６ｂとをそれぞれ２本ずつ有し、１本のシールド線６ｃを有している。また、光ケーブル６３も、２本の光ファイバ６４の他に、電源線６３ａと信号線６３ｂとをそれぞれ２本ずつ有すると共に、１本のシールド線６３ｃを有し、コネクタ端子５に接続されている。
【００３５】
中継線７０は、光ケーブル６，６３に対応して、電源線７０ａと信号線７０ｂとをそれぞれ２本ずつ有し、１本のシールド線７０ｃを有し、２箇所にコネクタ７１，７２が設けられている。電源線７０ａ及び信号線７０ｂは、それぞれシールド線７０ｃとの間が耐雷素子７３を介して接続されると共に、それぞれにヒューズ７４が設けられている。また、電源線７０ａ，信号線７０ｂ及びシールド線７０ｃは、それぞれに一括連動式の手動スイッチ７５が設けられている。
【００３６】
ここで、一般に、光・電力複合ケーブルを用いた光システムにおいては、雷サージ等の高電圧ノイズが発生すると、このノイズが屋外に設置された光・電力複合ケーブルのメタル芯線に侵入して端末機器まで伝わってしまう。この場合、端末機器側においても、サージ保護用の回路を設けることで対応はしているが、端末機器それ自体は屋内仕様であることから雷サージのような高電圧ノイズは想定していない。このため、雷サージが侵入した場合、端末機器は、損傷等の不測の障害を被り、光システムに悪影響を及ぼす。
【００３７】
従って、実施例２に係るコネクタ一体型光成端ユニットにおいては、高電圧ノイズの遮断手段を設けたのである。この場合、コネクタ一体型光成端ユニットにおいては、先ず、耐雷素子７３によってサージ電圧が低下し、これによって端末機器が不測の障害を被ることを回避することができる。但し、コネクタ一体型光成端ユニットは、端末機器を使用しない場合や、雷の発生が予測される等の場合には、手動スイッチ７５によって電源線７０ａ，信号線７０ｂ及びシールド線７０ｃを切断しておくことも可能である。また、落雷等のサージによって耐雷素子７３が破損してショートモードになっても、コネクタ一体型光成端ユニットにおいては、電源線７０ａ及び信号線７０ｂにヒューズ７４を設けているので、更なるサージが生じてもヒューズ７４の溶断によって回路が切断されるので、端末機器を高電圧ノイズから保護することができる。
【産業上の利用可能性】
【００３８】
以上のように、本発明のコネクタ一体型光成端ユニット及び接続ユニットは、コネクタ盤全体を小型化することができることから、テレビ中継用光システム、放送スタジオのテレビカメラ用光システム等が小型化され、特にコネクタ盤が占める面積が縮小できるので観客席、スタジオ等を広く使用できる効果がある。
【図面の簡単な説明】
【００３９】
【図１−１】本発明のコネクタ一体型光成端ユニット及び接続ユニットの実施例１を示すもので、コネクタ一体型光成端ユニットをコネクタ盤の外枠パネルに取り付けるための枠体を示す正面図である。
【図１−２】図１−１に示す枠体の側面図である。
【図２−１】コネクタ一体型光成端ユニットで用いるコネクタ端子ユニットを示し、コネクタ端子を取りつけたコネクタ端子ユニットの正面図である。
【図２−２】図２−１に示すコネクタ端子ユニットの側面図である。
【図３−１】コネクタ一体型光成端ユニットで用いる接続ユニットの正面図である。
【図３−２】図３−１に示す側面図である。
【図４】コネクタ一体型光成端ユニットをコネクタ盤の外枠パネルに取り付けた状態を示す側面図である。
【図５】光ケーブルを引き留めた接続ユニットの第１の態様を示す正面図である。
【図６】光ケーブルを引き留めた接続ユニットの第２の態様を示す正面図である。
【図７】光ケーブルを引き留めた接続ユニットの第３の態様を示す正面図である。
【図８】本発明のコネクタ一体型光成端ユニットの実施例２を示すもので、コネクタ一体型光成端ユニットの配線図である。
【図９】従来のテレビ中継用光システムを示す概略構成図である。
【図１０】従来の放送用テレビカメラの光システムを示す概略構成図である。
【図１１】図９のテレビ中継用光システムで用いるコネクタ盤の概略構成図である。
【図１２】図１１のコネクタ盤で使用される接続ユニットの概略構成図である。
【符号の説明】
【００４０】
１            枠体
２            外枠パネル
３            コネクタ端子ユニット
４            接続ユニット
５            コネクタ端子
６            光ケーブル
６ａ          電源線
６ｂ          信号線
６ｃ          シールド線
７            光ファイバ
８            テンションメンバー
１０          取付部
１１          中継ファイバ
１４          ねじ孔
１６          挿通口
１７          余長収納部
１８，１９    ねじ孔
２１，２２    ねじ孔
２３，２４    固定治具
６３          光ケーブル
６３ａ        電源線
６３ｂ        信号線
６３ｃ        シールド線
６４          光ファイバ
７０          中継線
７０ａ        電源線
７０ｂ        信号線
７０ｃ        シールド線
７１，７２    コネクタ
７３          耐雷素子
７４          ヒューズ
７５          手動スイッチ
【図１−１】
2004170926.tif 000003
【図１−２】
2004170926.tif 000004
【図２−１】
2004170926.tif 000005
【図２−２】
2004170926.tif 000006
【図３−１】
2004170926.tif 000007
【図３−２】
2004170926.tif 000008
【図４】
2004170926.tif 000009
【図５】
2004170926.tif 000010
【図６】
2004170926.tif 000011
【図７】
2004170926.tif 000012
【図８】
2004170926.tif 000013
【図９】
2004170926.tif 000014
【図１０】
2004170926.tif 000015
【図１１】
2004170926.tif 000016
【図１２】
2004170926.tif 000017